(57)【要約】      （修正有）【課題】地震等の振れや振動で誤作動しないように工夫した起伏堰の自動倒伏装置を提供する。【解決手段】起伏堰の袋体の流体排出管１０の開閉弁１１を開閉操作するとともに、常時は閉弁位置に保持される操作レバー１２が配置されている。袋体の上流側の水位に追従して昇降するフロートに連動体７が連結され、連動体７に蹴り金具１７が上下位置調整可能に取付けられている。操作レバー１２と蹴り金具１７との間に、連動体７とともに上動する蹴り金具１７で蹴り上げられたときに、操作レバー１２を開弁位置に強制回動させる蹴りレバー１８が配置されている。【選択図】図３
0003173213.tif 000002
【実用新案登録請求の範囲】
【請求項１】
水路の底部で支持された袋体が設けられ、流体の供給による袋体の膨張で堰止めされるとともに、流体の排出による袋体の収縮で堰止めが解除されるようになった起伏堰の自動倒伏装置において、
前記袋体の流体排出管の開閉弁を開閉操作するとともに、常時は閉弁位置に保持される操作レバーが配置され、
前記袋体の上流側の水位に追従して昇降するフロートに連動体が連結され、この連動体に蹴り金具が上下位置調整可能に取付けられ、
前記操作レバーと蹴り金具との間に、前記連動体とともに上動する蹴り金具で蹴り上げられたときに、操作レバーを開弁位置に強制回動させる蹴りレバーが配置されていることを特徴とする起伏堰の自動倒伏装置。
【請求項２】
前記起伏堰は、袋体の上流側の水路の底部に扉体が支持されていて、袋体の膨張で扉体が起立位置に回動されることで堰止めされるとともに、流体の排出による袋体の収縮で扉体が倒伏位置に回動されることで堰止めが解除されるものであることを特徴とする請求項１に記載の起伏堰の自動倒伏装置。
【請求項３】
前記連動体は、ロープであり、このロープは、前記フロートの上方でＵターンさせる滑車に掛け回されて、このロープのＵターン下部にテンション用ウェイトが取付けられていることを特徴とする請求項１または２に記載の起伏堰の自動倒伏装置。
【請求項４】
前記操作レバーの一端部に、開閉弁を重力で閉弁位置に保持する閉弁用ウェイトが取付けられ、
前記操作レバーの他端部に、前記蹴りレバーが回動可能に支持されるとともに、前記蹴りレバーの回動方向の前後位置に前ストッパー部と後ストッパー部とが設けられ、
前記蹴りレバーの一端部に、前記前ストッパー部と後ストッパー部との間の中立位置を境にして、中立位置から後方方向では、蹴りレバーを後ストッパー部に当て止める方向に回動させ、中立位置から前方方向では、蹴りレバーを前ストッパー部に当て止める方向に回動させる反転用ウェイトが取付けられ、
前記蹴りレバーは、前記後ストッパー部で当て止められた位置で、その他端部が前記蹴り金具に臨まされるとともに、前記反転用ウェイトの重力で前記操作レバーを閉弁位置に保持するようになっており、
前記蹴りレバーは、前記蹴り金具でその他端部が蹴り上げられて、前記中立位置よりも前方方向に反転回動されたときに前記反転用ウェイトの重力で前方方向に回動して、前記前ストッパー部に当て止められたとき、前記操作レバーを前記反転用ウェイトの重力で前方の開弁位置に強制回動させることを特徴とする請求項１〜３のいずれか一項に記載の起伏堰の自動倒伏装置。
【請求項５】
前記操作レバー、連動体、蹴り金具、蹴りレバーは、扉付きの筐体内に格納され、この扉の開放で前記蹴り金具の上下位置調整が可能になることを特徴とする請求項１〜４のいずれか一項に記載の起伏堰の自動倒伏装置。
【考案の詳細な説明】
【技術分野】
【０００１】
本考案は、起伏堰の自動倒伏装置に関する。
【背景技術】
【０００２】
従来、図９（ａ）のように、水路（河川や用水路等）３１の底部で支持された袋体３２が設けられ、流体の供給による袋体３２の膨張で堰止めされるとともに、流体の排出による袋体３２の収縮で堰止めが解除されるようになった起伏堰３０がある（特許文献１参照）。
【０００３】
この起伏堰３０には、急激な増水で起伏堰３０の上流側の水位が異常に上昇した際には（倒伏水位）、袋体３２を収縮させることで堰止めを解除して、上流側の水を下流側に緊急放流するための自動倒伏装置が備えられている。
【０００４】
かかる自動倒伏装置は、水路３１の水の流入でバケット３３が下降したときに、ロープ３４で排出レバー３５を引き上げることで、袋体３２の流体排出管３６の開閉弁３７を開弁操作するものである。
【０００５】
また、図９（ｂ）のように、袋体３２の上流側の水路３１の底部に扉体４１が支持されていて、袋体３２の膨張で扉体４１が起立位置に回動されることで堰止めされるとともに、流体の排出による袋体３２の収縮で扉体３１が倒伏位置に回動されることで堰止めが解除されるようになった起伏堰４０もある（特許文献２参照）。
【０００６】
この起伏堰４０にも、急激な増水で起伏堰４０の上流側の水位が異常に上昇した際には（倒伏水位）、袋体３２を収縮させることで扉体４１を倒伏させて堰止めを解除して、上流側の水を下流側に緊急放流するための自動倒伏装置が備えられている。
【０００７】
かかる自動倒伏装置は、フロート槽４２内のフロート４３が上昇したときに、棒状体（連動体）４４の固定フック４４ａを固定ピン４５で係止することで、その位置に保持するとともに、棒状体４４の作動部４４ｂで開閉弁４６ａ，４６ｂ，４６ｃを開弁状態に保つものである。また、図９（ｃ）のように、プーリ４７に掛け回したロープ（連動体）４８にフロート４３とウェイト４９を連結するとともに、フロート４３が上昇したときに、固定フック５０をプーリ４７の固定ピン４７ａで係止することで、その位置に保持するとともに、プーリ４７の周縁４７ｂで開閉弁４６ａ，４６ｂ，４６ｃを開弁状態に保つものもある。
【先行技術文献】
【特許文献】
【０００８】
【特許文献１】特開２０００−２９０９７２号公報
【特許文献２】特開２００５−２２０６４４号公報
【考案の概要】
【考案が解決しようとする課題】
【０００９】
しかしながら、特許文献の各技術では、自動倒伏装置に地震等の振れや振動が作用した際に、その振れや振動によって、特許文献１ではバケット３３が下降すること、特許文献２ではフロート４３が上昇することがある。
【００１０】
このような誤作動によって開閉弁が開弁され、袋体の流体が排出されることで収縮して堰止めが解除されると、起伏堰の上流側の水位が倒伏水位に至っていなくても、上流側の水が下流側に緊急放流されるという不測の事態が発生するおそれがある。
【００１１】
本考案は、前記問題を解消するためになされたもので、地震等の振れや振動で誤作動しないように工夫した起伏堰の自動倒伏装置を提供することを目的とするものである。
【課題を解決するための手段】
【００１２】
前記課題を解決するために、本考案は、水路の底部で支持された袋体が設けられ、流体の供給による袋体の膨張で堰止めされるとともに、流体の排出による袋体の収縮で堰止めが解除されるようになった起伏堰の自動倒伏装置において、前記袋体の流体排出管の開閉弁を開閉操作するとともに、常時は閉弁位置に保持される操作レバーが配置され、前記袋体の上流側の水位に追従して昇降するフロートに連動体が連結され、この連動体に蹴り金具が上下位置調整可能に取付けられ、前記操作レバーと蹴り金具との間に、前記連動体とともに上動する蹴り金具で蹴り上げられたときに、操作レバーを開弁位置に強制回動させる蹴りレバーが配置されていることを特徴とする起伏堰の自動倒伏装置を提供するものである。
【００１３】
前記起伏堰は、袋体の上流側の水路の底部に扉体が支持されていて、袋体の膨張で扉体が起立位置に回動されることで堰止めされるとともに、流体の排出による袋体の収縮で扉体が倒伏位置に回動されることで堰止めが解除されるものである構成とすることができる。
【００１４】
前記連動体は、ロープであり、このロープは、前記フロートの上方でＵターンさせる滑車に掛け回されて、このロープのＵターン下部にテンション用ウェイトが取付けられている構成とすることができる。
【００１５】
前記操作レバーの一端部に、開閉弁を重力で閉弁位置に保持する閉弁用ウェイトが取付けられ、前記操作レバーの他端部に、前記蹴りレバーが回動可能に支持されるとともに、前記蹴りレバーの回動方向の前後位置に前ストッパー部と後ストッパー部とが設けられ、前記蹴りレバーの一端部に、前記前ストッパー部と後ストッパー部との間の中立位置を境にして、中立位置から後方方向では、蹴りレバーを後ストッパー部に当て止める方向に回動させ、中立位置から前方方向では、蹴りレバーを前ストッパー部に当て止める方向に回動させる反転用ウェイトが取付けられ、前記蹴りレバーは、前記後ストッパー部で当て止められた位置で、その他端部が前記蹴り金具に臨まされるとともに、前記反転用ウェイトの重力で前記操作レバーを閉弁位置に保持するようになっており、前記蹴りレバーは、前記蹴り金具でその他端部が蹴り上げられて、前記中立位置よりも前方方向に反転回動されたときに前記反転用ウェイトの重力で前方方向に回動して、前記前ストッパー部に当て止められたとき、前記操作レバーを前記反転用ウェイトの重力で前方の開弁位置に強制回動させる構成とすることができる。
【００１６】
前記操作レバー、ロープ、蹴り金具、蹴りレバーは、扉付きの筐体内に格納され、この扉の開放で前記蹴り金具の上下位置調整が可能になる構成とすることができる。
【考案の効果】
【００１７】
本考案によれば、操作レバーによって、袋体の流体排出管の開閉弁が常時は閉弁位置に保持されている。そして、袋体の上流側の異常水位でフロートが上昇したときに、連動体とともに上動する蹴り金具で蹴りレバーが徐々に蹴り上げられ、倒伏水位（設定水位）に至った時点で大きく蹴り上げられることで、操作レバーが開弁位置に一気に強制回動される。これにより、袋体が収縮されることで堰止めが解除され、上流側の水が下流側に緊急放流されるようになる。
【００１８】
一方、地震等の振れや振動が作用した際には、その振れや振動によって、フロートが上昇して蹴り金具が上動することがある。このようなときには、蹴り金具が蹴りレバーを不用意に蹴り上げないように、蹴りレバーに対する蹴り金具の上下位置（例えば１５ｃｍ前後）が予め調整されている。
【００１９】
すなわち、地震等の振れや振動でフロートが上昇しても、蹴り金具で蹴りレバーが蹴り上げられない不感帯（ラグ）を予め設定できるから、地震等の振れや振動による誤作動がなくなり、起伏堰の上流側の水位が倒伏水位に至っていなくても、上流側の水が下流側に緊急放流されるという不測の事態の発生を未然に防止できるようになる。
【００２０】
ここで、起伏堰として、ゴム引布製袋体の起伏堰の他、袋体で扉体を起伏させる袋体支持式の鋼製起伏堰にも適用することができる。
【００２１】
また、連動体をロープとし、フロートの上方でＵターンさせる滑車に掛け回し、このロープのＵターン下部にテンション用ウェイトを取付ける構成とすれば、フロートで棒状体（鋼製ロッド）を上動させるものと比して、これらを格納するための筐体の上方スペースを狭くすることができるとともに、異常水位で棒状体が高く上動することで筐体の天井部分に当たって曲がる等の損傷もなくなる。
【００２２】
さらに、操作レバーと閉弁用ウェイト、蹴りレバーと反転用ウェイト、蹴り金具とを用いれば、機械的にシンプルに構成でき、緊急時の作動の確実性・信頼性が向上するようになる。また、操作レバーは、汎用されている機械式開閉弁（バタフライ弁やボール弁）の弁軸に連結するだけであるから、コスト安である。
【００２３】
さらに、操作レバー、連動体、蹴り金具、蹴りレバーを扉付きの筐体内に格納すれば、筐体の扉を開放するだけで、連動体に対する蹴り金具の上下位置調整を簡単に行うことができる。また、蹴りレバーを簡単かつ迅速に、元の位置に再セットすることができる。
【図面の簡単な説明】
【００２４】
【図１】本考案の実施形態に係る起伏堰であり、（ａ）はゴム引布製袋体の起伏堰の側面図、（ｂ）は袋体で鋼製扉体を起伏させる袋体支持式の起伏堰の側面図である。
【図２】ロープに接続したフロートを外部に臨ませた筐体の正面図である。
【図３】操作レバーが閉弁位置である筐体の内部を透視した正面図である。
【図４】筐体の内部を透視した側面図である。
【図５】筐体の内部を透視した平面図である。
【図６】操作レバーが開弁位置である筐体の内部を透視した正面図である。
【図７】（ａ）（ｂ）は操作レバーと蹴りレバーの作動状態の正面図である。
【図８】（ａ）（ｂ）は操作レバーと蹴りレバーの作動状態の正面図である。
【図９】（ａ）は特許文献１の起伏堰の側面図、（ｂ）は特許文献２の起伏堰の側面図、（ｃ）は特許文献２の起伏堰において、フロートとロープとウェイトを用いた自動倒伏装置の側面図である。
【考案を実施するための形態】
【００２５】
以下、本考案を実施するための形態について、図面を参照しながら詳細に説明する。図１（ａ）はゴム引布製袋体２の起伏堰１Ａの側面図、図１（ｂ）は袋体２で鋼製扉体３を起伏させる袋体支持式の起伏堰１Ｂの側面図である。図２はワイヤー製ロープ７に接続したフロート５を外部に臨ませた筐体６の正面図である。
【００２６】
図１（ａ）の起伏堰１Ａは、水路４の底部で支持された袋体２が設けられ、流体（空気や水）の供給による袋体２の膨張〔図１（ａ）の実線ａ〕で堰止めされるとともに、流体の排出による袋体２の収縮〔図１（ａ）の二点鎖線ｂ〕で堰止めが解除されるようになっている。
【００２７】
図１（ｂ）の起伏堰１Ｂは、袋体２の上流側の水路４の底部に扉体３が支持されて、袋体２の膨張で扉体３が起立位置〔図１（ｂ）の実線ａ〕に回動されることで堰止めされるとともに、流体の排出による袋体２の収縮で扉体３が倒伏位置〔図１（ｂ）の二点鎖線ｂ〕に回動されることで堰止めが解除されるようになっている。
【００２８】
各起伏堰１Ａ，１Ｂの上流側には、図２にも示すように、この上流側の水位に追従して上下動するフロート５をロープ７の一端部に接続して外部に臨ませた筐体６が基台２５の上に設置され、この筐体６の内部に自動倒伏装置が格納されている。この筐体６には扉６ａが設けられ、この扉６ａの開放で、後述する蹴り金具１７の上下位置調整等を行うことができる。なお、６’はフロート保護管である。
【００２９】
図３は操作レバー１２が閉弁位置である筐体６の内部を透視した正面図、図４は筐体６の内部を透視した側面図、図５は筐体６の内部を透視した平面図、図６は操作レバー１２が開弁位置である筐体６の内部を透視した正面図である。
【００３０】
筐体６内には袋体２の流体排出管１０が貫通状態で配置され、流体排出管１０の途中には、流体排出管１０を開閉する機械式開閉弁（バタフライ弁やボール弁）１１が介設されている。この開閉弁１１の弁軸１１ａには、弁軸１１ａを回動操作することで開閉弁１１を開閉操作する操作レバー１２が連結されている。流体排出管１０の開閉弁１１の下流側には、手動の流量調節弁（バタフライ弁、ボール弁、仕切り弁、グローブ弁等）９が介設されている。
【００３１】
操作レバー１２は、細幅形状の一端部１２ａが斜め下方に延在し、四角形状の他端部１２ｂがほぼ真上に延在している。
【００３２】
操作レバー１２の一端部１２ａの長穴１２ｅ〔図７（ａ）参照〕には、開閉弁１１を重力で閉弁位置に保持する閉弁用ウェイト１３が自重でスライド可能に取付けられている。
【００３３】
この閉弁用ウェイト１３は、操作レバー１２が閉弁位置〔図７（ａ）参照〕では、長穴１２ｅで一端部１２ａの先端側にスライドすることで、弁軸１１ａとの距離が長くなって、開閉弁１１をその重力でサポートして閉弁位置に保持することができる。また、操作レバー１２が開弁位置〔図８（ｂ）参照〕では、長穴１２ｅで一端部１２ａの後端側にスライドすることで、弁軸１１ａとの距離が短くなって、開閉弁１１をその重力で閉弁方向に回動させにくくすることができる。
【００３４】
フロート５のロープ７は、フロート５の上方である筐体６内の天井部分に設置された滑車１４に掛け回されてＵターンされ、このロープ７のＵターン下部（他端部）にテンション用ウェイト１５が取付けられている。このテンション用ウェイト１５でロープ７が弛まないように、上下方向のテンションが付与されるようになる。テンション用ウェイト１５は複数個（本例では３個）に分割して個数を増減することで、テンションを調節することができる。
【００３５】
テンション用ウェイト１５の反対位置のロープ７には、蹴り金具１７が上下位置調整可能に取付けられている。この蹴り金具１７は、ロープ７に挿通される大径のワッシャ１７ａとロープ止め具１７ｂとで構成されている。ロープ止め具１７ｂは、市販品を用いることができ、ナット部分を弛めるとロープ７に沿って上下移動でき、ナット部分を締め付けるとロープ７に固定できるようになる。
【００３６】
操作レバー１２と蹴り金具１７との間には、ロープ７とともに上動する蹴り金具１７のワッシャ１７ａで蹴り上げられたときに、操作レバー１２を開弁位置に強制回動させる蹴りレバー１８が配置されている。
【００３７】
具体的には、図７（ａ）のように、操作レバー１２の他端部１２ｂに、蹴りレバー１８が支軸１９で回動可能に支持されるとともに、この他端部１２ｂには、蹴りレバー１８の回動方向の前後位置に前ストッパー部１２ｃと後ストッパー部１２ｄとが設けられている。
【００３８】
蹴りレバー１８の一端部１８ａの上部には、前ストッパー部１２ｃと後ストッパー部１２ｄとの間の中立位置〔図７（ｂ）参照〕Ｎを境にして、中立位置Ｎから後方方向（図の右方）では、蹴りレバー１８を後ストッパー部１２ｄに当て止める方向に回動させ〔図７（ａ）参照〕、中立位置Ｎから前方方向（図の左方）では、蹴りレバー１８を前ストッパー部１２ｃに当て止める方向に回動させる〔図８（ａ）参照〕反転用ウェイト２０が取付けられている。
【００３９】
蹴りレバー１８は、後ストッパー部１２ｄで当て止められた位置で〔図７（ａ）参照〕、その他端部１８ｂが蹴り金具１７のワッシャ１７ａの上部に臨まされるとともに、反転用ウェイト２０の重力で、後ストッパー部１２ｄを介して操作レバー１２を閉弁位置に保持するようになっている。
【００４０】
開閉弁１１のブラケット２１には、閉弁位置に保持された操作レバー１２を検出するセンサー２２が取付けられ、このセンサー２２の検出信号で、開閉弁１１の開閉状態を筐体６の外部に報知することができる。
【００４１】
蹴りレバー１８は、蹴り金具１７のワッシャ１７ａでその他端部１８ｂが上方に蹴り上げられて、中立位置Ｎよりも前方位置に反転回動されたときに反転用ウェイト２０の重力で前方方向に回動して、前ストッパー部１２ｃに当て止められたとき〔図８（ａ）参照〕、操作レバー１２を反転用ウェイト２０の重力で前方の開弁位置に強制回動させるようになる〔図８（ｂ）の矢印参照〕。
【００４２】
蹴りレバー１８の他端部１８ｂは、図５のように、板状の一端部１８ａの両側面に溶接固定された２本の棒状体１８ｃ，１８ｄで構成されて、この２本の棒状体１８ｃ，１８ｄの間にロープ７が位置するようになる。そして、筐体６の奥側の棒状体１８ｃの端部は奥方向に折り曲げられている。筐体６の扉側の棒状体１８ｄの端部は扉方向に折り曲げられて、この折り曲げ部には手操作用グリップ１８ｅが取付けられている。
【００４３】
前記のような自動倒伏装置であれば、図７（ａ）のように、蹴りレバー１８は、後ストッパー部１２ｄで当て止められた位置であり、反転用ウェイト２０の重力で、後ストッパー部１２ｄを介して操作レバー１２が下方に押さえ付けられ、この操作レバー１２によって、袋体２の流体排出管１０の開閉弁１１が常時は閉弁位置に保持されている。
【００４４】
そして、袋体２の上流側の異常水位でフロート５が上昇するときに、ロープ７とともに上動する蹴り金具１７で蹴りレバー１８の他端部１８ｂが徐々に蹴り上げられ〔図７（ｂ）参照〕、さらに上昇するフロート５で、ロープ７とともに上動する蹴り金具１７で、倒伏水位（設定水位）に至った時点で蹴りレバー１８の他端部１８ｂが大きく蹴り上げられるようになる。
【００４５】
図７（ｂ）のように、蹴りレバー１８とともに反転用ウェイト２０が後方位置から中立位置Ｎまで移動され、ついで中立位置Ｎから前方方向に僅か移動されると、蹴りレバー１８は、他端部１８ｂが蹴り金具１７から離れて、反転用ウェイト２０の重力だけで前方方向に急速回動するようになる。
【００４６】
そして、図８（ａ）のように、蹴りレバー１８の一端部１８ａが前ストッパー部１２ｃに当て止められると、図８（ｂ）の矢印のように、操作レバー１２は、反転用ウェイト２０の重力で前方の開弁位置に一気に強制回動されるようになる。
【００４７】
これにより、袋体２が収縮されることで堰止めが解除され、上流側の水が下流側に緊急放流されるようになる。
【００４８】
一方、地震等の振れや振動が作用した際には、その振れや振動によって、フロート５が上昇して蹴り金具１７が上動することがある。このようなときには、蹴り金具１７が蹴りレバー１８を不用意に（反転用ウェイト２０の中立位置Ｎ以上に）蹴り上げないように、蹴りレバー１８に対する蹴り金具１７の上下位置（例えば１５ｃｍ前後）を予め調整することができる。
【００４９】
すなわち、地震等の振れや振動でフロート５が上昇しても、蹴り金具１７で蹴りレバー１８が蹴り上げられない不感帯（ラグ）を予め設定できるから、地震等の振れや振動による誤作動がなくなり、起伏堰１Ａ，１Ｂの上流側の水位が倒伏水位に至っていなくても、上流側の水が下流側に緊急放流されるという不測の事態の発生を未然に防止できるようになる。
【００５０】
また、ロープ７は、フロート５の上方でＵターンさせる滑車１４に掛け回して、このロープ７のＵターン下部にテンション用ウェイト１５を取付けている。したがって、フロートで棒状体（鋼製ロッド）を上動させるものと比して、これらを格納するための筐体６の上方スペースを狭くすることができるとともに、異常水位で棒状体が高く上動することで筐体６の天井部分に当たって曲がる等の損傷もなくなる。
【００５１】
さらに、自動倒伏装置は、操作レバー１２と閉弁用ウェイト１３、蹴りレバー１８と反転用ウェイト２０、蹴り金具１７とで、機械的にシンプルに構成でき、緊急時の作動の確実性・信頼性が向上するようになる。また、操作レバー１２は、汎用されている機械式開閉弁（バタフライ弁やボール弁）１１の弁軸１１ａに連結するだけであるから、コスト安である。
【００５２】
さらにまた、操作レバー１２、ロープ７、蹴り金具１７、蹴りレバー１８は、扉６ａ付きの筐体６内に格納し、この扉６ａを開放するだけで、ロープ７に対する蹴り金具１７の上下位置調整等を簡単に行うことができる。
【００５３】
また、自動倒伏装置の作動後は、筐体６の扉６ａを開放して、蹴りレバー１８のグリップ１８ｅを握り、蹴りレバー１８を手操作で後方位置に戻すことで、蹴りレバー１８を簡単かつ迅速に、元の位置に再セットすることができる。
【００５４】
前記実施形態では、連動体としてロープ７を用いたが、フロート５に連動体である棒状体（特許文献２参照）を連結した構成とすることもできる。
【００５５】
本実施形態の自動倒伏装置は、起伏堰として、ゴム引布製袋体２の起伏堰１Ａの他、袋体２で鋼製扉体３を起伏させる袋体支持式の起伏堰１Ｂにも適用することができる。
【符号の説明】
【００５６】
１Ａ，１Ｂ  起伏堰
２      袋体
３      扉体
４      水路
５      フロート
６      筐体
６ａ    扉
７      ロープ（連動体）
１０    流体排出管
１１    開閉弁
１１ａ  弁軸
１２    操作レバー
１２ａ  一端部
１２ｂ  他端部
１２ｃ  前ストッパー部
１２ｄ  後ストッパー部
１３    閉弁用ウェイト
１４    滑車
１５    テンション用ウェイト
１７    蹴り金具
１８    蹴りレバー
１８ａ  一端部
１８ｂ  他端部
２０    反転用ウェイト
Ｎ      中立位置
【図１】
0003173213.tif 000003
【図２】
0003173213.tif 000004
【図３】
0003173213.tif 000005
【図４】
0003173213.tif 000006
【図５】
0003173213.tif 000007
【図６】
0003173213.tif 000008
【図７】
0003173213.tif 000009
【図８】
0003173213.tif 000010
【図９】
0003173213.tif 000011